(57)【要約】  開口部８を含み、そこからユニットの液状の中身を飲用することが可能であり、閉鎖要素３を用いて前記開口部または口８を閉じることができる飲料パッキング・ユニット１。本発明は、パッキング・ユニット１が平行六面体の形であり、且つ中空箱状体２および前記閉鎖要素３を含むこと、前記平行六面体の中空箱状体２が傾斜した角部を有し、この角部に、前記箱状体とつながる三側面または三角形の面７が形成されていること、前記開口部または口を含む管状部分４が前記面７から外へ突出していること、前記閉鎖要素３が概ねピラミッド型のボディを含み、このピラミッド型ボディが、前記箱状体２の前記傾斜した角部に隣接しているときに前記箱状体と共に前記平行六面体のパッキング・ユニット１を形成するように成形されていること、前記閉鎖要素が前記管状部分４を受け入れるための空洞６を含むこと、ならびに前記閉鎖要素３を前記管状部分の上に取り外し可能に保持するために、パッキング・ユニットが前記管状部分４の上、および前記空洞６の中に、共働する留め具１０を含み、それによって前記箱状体２および前記閉鎖要素３が平行六面体を形成することを特徴とする。
2007520400.tif 000002
【特許請求の範囲】
【請求項１】
開口部（８）を含み、該開口部を通して飲料を飲用することができる飲料パッキング・ユニット（１）であって、前記開口部（８）が閉鎖要素（３）によって封止可能である飲料パッキング・ユニット（１）において、
前記ユニット（１）が平行六面体の形状であり、また中空箱状体（２）および前記閉鎖要素（３）を含んでおり、
前記平行六面体の中空箱状体（２）の１つの角部に傾斜が付けられ、該傾斜に、前記箱状体（２）と隣接するようになされた三側面（７）が形成されおり、
前記ユニットが、前記面（７）から外へ突出する管状部分（４）であって、前記開口部（８）を含む管状部分（４）を有しており、
前記閉鎖要素（３）が概ねピラミッド型のボディを含み、該ピラミッド型のボディは、前記箱状体（２）の前記傾斜した角部に隣接しているとき、前記閉鎖要素（３）と共に前記平行六面体のパッキング・ユニット（１）を形成するように構成されており、
前記閉鎖要素が、前記管状部分（４）を受け入れるための空洞（６）を含んでおり、また
前記ユニットは、一部が前記管状部分（４）上にあり、一部が前記空洞（６）内にあって互いに共働する留め具手段（１０）を含み、該留め具は、前記閉鎖要素（３）を前記管状部分（４）上に取り外し可能に保持するように機能し、それによって前記箱状体（２）および前記閉鎖要素（３）が共に平行六面体を形成する
ことを特徴とする飲料パッキング・ユニット（１）。
【請求項２】
前記閉鎖要素（３）が前記管状部分（４）のまわりで回転可能であることを特徴とする請求項１に記載の飲料パッキング・ユニット。
【請求項３】
ストローなどの管（５）が、前記管状部分（４）を通して、前記箱状体（２）の内部へ下方に延びていることを特徴とする請求項１または請求項２に記載の飲料パッキング・ユニット。
【請求項４】
ストローなどの管（５）が、前記管状部分（４）を通して、前記箱状体（２）の底部（２１）へ下方に延びていることを特徴とする請求項１または請求項２に記載の飲料パッキング・ユニット。
【請求項５】
前記ストローが前記管状部分（４）から離れた位置に向かって伸びることができることを特徴とする請求項３または請求項４に記載の飲料パッキング・ユニット。
【請求項６】
前記留め具（１０）がスナップ・ロックを有することを特徴とする請求項１から請求項５までのいずれか１項に記載の飲料パッキング・ユニット。
【請求項７】
前記留め具（１０）がネジ山を有することを特徴とする請求項１から請求項５までのいずれか１項に記載の飲料パッキング・ユニット。
【請求項８】
前記ストローの外端が、前記閉鎖要素（３）と共働するスナップ・ロックを含むことをさらに特徴とする請求項３から請求項７までのいずれか１項に記載の飲料パッキング・ユニット。
【請求項９】
人が彼／彼女の唇を前記管状部分（４）の周囲に置き、それによって前記箱状部分（２）から飲用するのに十分なだけ、前記管状部分（４）が前記面（７）から遠くに突出していることを特徴とする請求項１から請求項８までのいずれか１項に記載の飲料パッキング・ユニット。
【請求項１０】
前記閉鎖要素（３）が、前記管状部分（４）の外端（１１）との隣接部、および／または前記三側面（７）との隣接部をシールするように設計されていることを特徴とする請求項１から請求項９までのいずれか１項に記載の飲料パッキング・ユニット。
【発明の詳細な説明】
【技術分野】
【０００１】
本発明は、飲料パッキング・ユニットに関する。
【背景技術】
【０００２】
今日、人々は、例えば炭酸または発砲飲料、ジュース、ミルク、ミルク・ベースの飲料や、例えば個別のパッキング・ユニットに収容されたビール、エールおよびワインなど、多くの種々の飲料を飲用している。
【０００３】
今日の飲料に最も一般的なパッキング・ユニットは、それぞれがその特徴的な外観を有する様々なサイズのボトル、すなわちその上部で狭くなって開口部を形成し、そこから飲料を飲むことができる円筒形のパッケージであり、それによってネジ山付きの栓またはネジ蓋を用いて開口部を再封止することができるようになっている。ボトルは通常、ＰＥＴなどのプラスチックまたはガラスで製造される。
【０００４】
他のタイプの一般的なパッキング・ユニットは、相互に積み重ねることができるような円筒形のアルミニウム缶であり、アルミニウムのつまみの一部を缶の上面から離し、それによって穴をあけ、そこから缶の中身を飲むことが可能になる特徴的な缶の開放手順を含む。
【０００５】
他の一般的なタイプのパッキング・ユニットはテトラ・パックであり、それにはテトラ・パック・ユニットの最大の２つの側面の１つに、プラスチックで包まれたストローが接着される。このパッキング・ユニットの中身は通常、ストローをユニットから取り外し、次いでプラスチックの包装材料を取り外し、さらにテトラ・パックのパッキング・ユニットの上面に設けられた穴であって、アルミニウム箔で覆われた穴を通してストローを下方へ挿入することによって飲用される。テトラ・パック・ユニットの中身は、その後で、ストローを通して飲むことができる。
【０００６】
他の一般的なタイプの飲料パッキング・ユニットは、ボトル首部の開口部全体にフィットさせた蓋、およびボトルの中身をそこから飲むことができる穴を含むガラス・ボトルである。
【０００７】
すべてのタイプのパッキング・ユニットは、何らかのプラス面とマイナス面を有している。一般的に言えば、いくつかのパッキング・ユニットは、互いに緊密に梱包することができないため輸送に有効ではなく、一方、他のものは、他のいくつかのパッキング・ユニットが非衛生的であるために再封止することができない。以下に欠点をより詳しく記述する。
【０００８】
いくつかのパッキング・ユニットに関する問題の１つは、それらがほとんどの場合、長距離にわたって大型貨物車両によって輸送されることである。円筒形の飲料パッキング・ユニットの形によって、車両の貨物容量の最適な使用が妨げられる。一般的なＰＥＴボトルは、通常、木枠の中に入れられ、次いでそれらが上下にぴったりと積み重ねられる。これは、ボトルのまわり、およびそれぞれのボトルの上下で大きな容積が未使用になることを意味している。したがってこの問題は、ネジ栓またはネジ蓋が取り付けられた先細の上部を有するすべての円筒形のパッキング・ユニットにも存在している。この問題の一部をなす他のパッキング・ユニットは、典型的なアルミニウム缶である。この缶もまた円筒形であり、それによって缶のまわりに未使用の貨物容量が生じる。
【０００９】
多くの飲料パッキング・ユニットに伴う他の問題は、再封止することができないことである。その中身を飲むために、所与の場合にそのようなパッキング・ユニットを開けたとき、当事者は、同時にユニットを空にするか、あるいはユニットを開けた後で彼／彼女が飲みたくない飲料を捨てることが通常は必要である。
【００１０】
パッキング・ユニットから飲用する人は通常、少量をしばしば異なる時間に飲むこと、またその中身を後で飲むことができるようにユニットの再封止が可能であることを望むであろう。この問題の１つの解決策は、例えばＰＥＴボトルなどネジ止め式の栓を用いて封止されるボトルにあるが、これらのボトルは、先に言及したように貨物容量特性があまり有効でない。アルミニウム缶、蓋を備えたガラス・ボトル、またはテトラ・パックのパッキング・ユニットなどの他の典型的な飲料パッキング・ユニットは、再封止することができない。
【００１１】
非衛生的なパッキング・ユニットは、さらなる問題を呈する。アルミニウム缶は、製造から、例えば食料品店までの輸送中、次いで店舗自体で、またその後それぞれの缶の中の液体が飲用されるまで、周囲に曝される。缶から飲むためには、缶を開け、それを通して缶の中身を飲むことができる開口部を形成するように、折り畳まれている缶の一部を缶の中、すなわち後で飲用する液体の中へ折り曲げる。いくつかのパッキング・ユニット、中でもアルミニウム缶は、このユニットから飲用する人に対して、先に言及したように缶の製造から当事者がユニットから飲用するまで周囲に曝されていたパッキング・ユニットの一部に彼／彼女の口を直接当てさせるように設計されている。さらに液体は、前記開口部を形成するために折り畳まれていた缶の一部が浸された缶から飲用される。したがって缶の中の液体を飲用する人は、その人の口が缶と液体の両方に直接接触する結果、例えばバクテリア、ウィルス、および／または毒性物質に曝されることになり、これは非衛生的である。
【００１２】
ストローを含むテトラ・パックのパッキング・ユニットの場合に直面する別の欠点および問題の１つは、テトラ・パック・ユニットが変形可能なことであり、これはテトラ・パック・ユニットを慣れない指でつかみながらストローを用いてユニットを開けたとき、液体がテトラ・パック・ユニットから噴水のように噴き出し、ユニットの外側に落ちる程度まで、ユニットが押し合わされることを意味している。
【発明の開示】
【００１３】
周知の飲料パッキング技術に伴う上述の問題はすべて、積み重ね可能で、再封止が可能で、且つ衛生的な飲料パッキング・ユニットを提供する本発明によって解決される。
【００１４】
したがって本発明によれば、開口部を含み、そこからユニットの液状の中身を飲用すること、または注ぐことができる飲料パッキング・ユニットであって、閉鎖要素を用いて前記開口部または口を閉じることが可能な飲料パッキング・ユニットにおいて、パッキング・ユニットが平行六面体の形であり、且つ中空箱状体および前記閉鎖要素を含んでいること、前記平行六面体の中空箱状体が傾斜した角部を有し、この角部に、前記箱状体と結合する三側面（ｔｈｒｅｅ−ｓｉｄｅｄ  ｓｕｒｆａｃｅ）または三角形の面が形成されていること、前記開口部または口を含む管状部分が前記面から外へ突出していること、前記閉鎖要素は、前記箱状体の前記傾斜した角部に隣接しているとき、前記箱状体と共に前記平行六面体のパッキング・ユニットを形成するように成形された、概ねピラミッド型のボディを含むこと、前記閉鎖要素が前記管状部分を受け入れるための空洞を含むこと、ならびに前記閉鎖要素を前記管状部分のところで取り外し可能に保持するために、パッキング・ユニットが前記管状部分の上、および前記空洞の中で共働する留め具を含み、その結果、前記箱状体および前記閉鎖要素が平行六面体を形成することを特徴とする飲料パッキング・ユニットが提供される。
【００１５】
次に本発明を、添付図面に示した本発明の例示的な実施例を一部参照しながら、より詳しく記述する。
【実施例】
【００１６】
本発明の図１Ａ〜１Ｂは、平行六面体の中空箱状体２および開口部閉鎖要素３を有する飲料パッキング・ユニット１に関するものである。開口部８が設けられ、それを通して箱状体２に含まれた飲料を飲むことができるようになっており、前記開口部８は前記閉鎖要素３を用いて封止可能である。
【００１７】
パッキング・ユニット１は平行六面体の形であり、中空箱状体２および開口部閉鎖要素３を有している。平行六面体の中空体２の角部の１つには傾斜が付けられ、三側面または三角形の面７を形成している。この三側面７は箱状体２とつながっている。外側に突出した管状部分４は前記開口部８を含み、三側面７上に位置している。
【００１８】
開口部閉鎖部分３は、一般にはピラミッド型のボディを含み、それは、開口部閉鎖要素３が箱状体２の傾斜した角部で三側面７と隣接しているとき、前記ピラミッド型のボディが箱状体２と共に前記平行六面体のユニット１を形成するように構成される。開口部閉鎖要素３は、管状部分４を受け入れるようになされた空洞６を含む。管状部分４の上と空洞６の中の両方に、例えばスナップ・ファスナやネジ山など互いに共働する留め具１０が設けられる。これらの共働する留め具は、箱状体２および開口部閉鎖要素３が前記平行六面体のパッキング・ユニット１を形成するように、前記開口部閉鎖要素３を管状部分４上に解放可能に保持する。
【００１９】
本発明の一実施例によれば、前記管状部分４および前記開口部８が含まれ、それらを通して箱状体２に含まれる飲料が流出する。
【００２０】
図２Ａ〜２Ｄは、ストローなど適切なプラスチック材料でできた管５がしっかりと固定された別の実施例を示しており、前記ストローは、管状部分４を通して箱状体２の内部へ下方に延び、ストロー５の下端部２０が箱状体２の底部２１と接触する、伸長可能な、もしくは伸長不能なストローであることが好ましい。
【００２１】
前記管状部分４へ下方に挿入された管５は、前記管状部分４から延びる部分に沿って伸長可能である。管５は、箱状体２の内部１７と隣接するように配置される縁部１６を含むことが好ましい。これによって、管５が箱状体内のその位置からずれることが防止される。縁部１６は、管が管状部分４を通して押し下げられたときに縁部１６が変形を受ける程度まで弾性変形することができる。管５および縁部１６が箱状体２の中へ押し下げられた後、縁部１６はそのもとの形に戻り、管５を箱状体２から引き出すこと、または管５を前記箱状体２の底部２１から引き上げることに対する障害をなすようになる。
【００２２】
一実施例によれば、管５には縁部１６がなく、それによって管５を箱状体２から自由に引き出すこと、同様に前記箱状体に自由に挿入することができる。
【００２３】
前記開口部として管状部分４を有する本発明の一実施例では、留め具１０はスナップ留めの留め具である。スナップ留めの留め具は、管状部分４の外部に位置する肩部または唇部１３、および閉鎖要素３の空洞６の内部に位置する肩部のかぎ状に曲がった陥凹部１４を有することが好ましい。留め具１０は、閉鎖要素３を管状部分４のまわりで回転させることができるようになされている。好ましくは前記要素のすべての角部が三側面７から自由になるように前記要素３をねじることによって、閉鎖要素３が管状部分４から取り外される。次いで、閉鎖要素３を独立状態の角部で垂直に引き上げ、箱状体２の三側面７から離す。好ましくは同じ人によって開口部閉鎖要素３が強く引っ張られると、最終的には肩部１３および肩部のかぎ状に曲がった陥凹部１４が弾性変形を受け、それによって閉鎖要素３が箱状体２から解放される。肩部１３および陥凹部１４は閉鎖要素３の取り外し後も損なわれないままであり、そのため、陥凹部１４にはまり込む肩部１３によってユニットを再閉止することができるので、ユニットの再封止が可能である。
【００２４】
本発明の他の実施例では、留め具１０にはネジ山が付けられ、それによって管状部分４は雄ネジを有する。閉鎖要素３の空洞６は、雌ネジを有する。閉鎖要素３を所与の方向に回転させると要素３が箱状体２から離れることにより、閉鎖要素３が箱状体２から解放される。
【００２５】
別の実施例では、管５は、スナップ・ロックが設けられた管状部分４内に配置される（図２Ａ〜２Ｄ参照）。スナップ・ロックは、好ましくは管５を取り囲む外側の歯付きリング１２、および閉鎖要素３の空洞６内の陥凹部またはノッチ１５からなり、前記陥凹部も空洞を取り囲んでいることが好ましく、空洞内では歯付きリング１２と陥凹部１５は共に、リング１２および陥凹部１５の弾性変形によってかぎ形に曲がる。リング１２および陥凹部１５は損なわれないままであるため、歯付きリング１２をはめ込む陥凹部１５によってパッキング・ユニットを再封止することができる。リング１２および陥凹部１５は、管５が伸びることができるようにするために用いられる。
【００２６】
当事者が彼／彼女の唇で管状部分４を取り囲み、それによってパッキング・ユニット１から飲用することができるように、管状部分が三側面７からある距離の所に向かって伸ばされることが好ましい。これによって、唇が閉鎖要素３によって保護されていなかった箱状体２の表面に触れることが回避される。
【００２７】
開口部閉鎖要素３は、すべての実施例の場合に管状部分４の三側面７との隣接部、そして好ましくは管状部分外端との隣接部を封止することができるものとする。これによっても、三側面７および管状部分４が汚染から保護される。
【００２８】
関連する実施例に関係なく、箱状体２とこの箱状体２に隣接する閉鎖要素３との間にプラスチックのブリッジ１８が固定されることが好ましい。閉鎖要素３を箱状体２から取り外し、それによってパッキング・ユニット１を開けたとき、これらのプラスチックのブリッジ１８が分かれ、それによってパッキング・ユニットが開いたことを知らせる。
【００２９】
ここまでいくつかの実施例について記述してきたが、外側に突出した箱状体２の管状部分４、管５、閉鎖要素３の空洞６は、本発明の基本的な概念から逸脱することなく、他の複数の適切な方法で設計することが可能であることが理解されよう。
【００３０】
したがって、添付の特許請求の範囲の範囲内で変更を加えることができるため、本発明を記述され図示されたその例示的な実施例に限定されるものと考えてはならない。
【図面の簡単な説明】
【００３１】
【図１Ａ】外側に突出した管状部分が箱状体の三側面上に配置されており、この管状部分はまた、液状の飲料がそこから流出することができる開口部を構成している本発明によるパッキング・ユニットを示した図であり、また箱状体の三側面に隣接するパッキング・ユニットの開口部閉鎖要素を示した図である。
【図１Ｂ】外側に突出した管状部分が箱状体の三側面上に配置されており、この面は、そこから飲料が流出することができる開口部を構成している本発明によるパッキング・ユニットを示した図であり、外側に突出した箱状体の管状部分から解放されたパッキング・ユニットの閉鎖部分を示した図である。
【図２Ａ】外側に突出した管状部分に挿入された管またはストローを含み、箱状体の三側面に隣接している閉鎖要素を示す図１Ａ〜１Ｂによるパッキング・ユニットを示す図である。
【図２Ｂ】図１Ａ〜１Ｂによる本発明を示す図であり、外側に突出した管状部分内に管またはストローを示し、閉鎖要素が、外側に突出した箱状体の管状部分から離れているが、依然として管またはストローと接触していることを示した図である。
【図２Ｃ】図１Ａ〜１Ｂによる本発明のパッキング・ユニットを示す図であり、外側に突出した管状部分に挿入された管またはストローを示し、且つ外側に突出した管状部分、および前記管状部分に挿入された管またはストローから完全に解放された開口部閉鎖要素も示す図である。
【図２Ｄ】空洞、ストロー、および外側に突出した管状部分を含む、図２Ｃに示した開口部閉鎖要素の拡大図である。
【図１Ａ】
2007520400.tif 000003
【図１Ｂ】
2007520400.tif 000004
【図２Ａ】
2007520400.tif 000005
【図２Ｂ】
2007520400.tif 000006
【図２Ｃ】
2007520400.tif 000007
【図２Ｄ】
2007520400.tif 000008
【国際調査報告】
2007520400.tif 000009
2007520400.tif 000010
2007520400.tif 000011